(57)【特許請求の範囲】
【請求項１】
車両の各車輪に生じる制動力を個別に調節可能である制動装置と、
前記制動装置を制御し前記車両の左右の車輪のスリップ状態が同等となるように当該左右の車輪の制動力を個別に制御する制動力配分制御を実行可能である制御装置とを備え、
前記制御装置は、前記左右の車輪の制動力の偏差である左右制動力偏差の変化速度の変化速度上限値に基づいて、前記制動力配分制御を実行することを特徴とする、
制動力制御装置。
【請求項２】
前記制御装置は、前記制動力配分制御において、前記左右制動力偏差の変化速度が前記変化速度上限値より大きい場合、前記左右の車輪の前記制動力を増加させる制御より当該左右の車輪の前記制動力を低減させる制御を優先させる、
請求項１に記載の制動力制御装置。
【請求項３】
前記制御装置は、前記制動力配分制御において、前記左右制動力偏差の変化速度が前記変化速度上限値より大きい場合、前記左右の車輪の前記制動力を低減させる制御より当該左右の車輪の前記制動力を増加させる制御を優先させる、
請求項１に記載の制動力制御装置。
【請求項４】
前記変化速度上限値は、前記車両の減速度が大きいほど小さい、
請求項１乃至請求項３のいずれか１項に記載の制動力制御装置。
【請求項５】
前記変化速度上限値は、前記車両の減速度の変化速度が大きいほど大きい、
請求項１乃至請求項４のいずれか１項に記載の制動力制御装置。
【請求項６】
前記変化速度上限値は、前記車両の走行速度が高いほど小さい、
請求項１乃至請求項５のいずれか１項に記載の制動力制御装置。
【請求項７】
前記変化速度上限値は、前記車両の横運動の変化速度が大きいほど大きい、
請求項１乃至請求項６のいずれか１項に記載の制動力制御装置。
【請求項８】
前記変化速度上限値は、前記左右の車輪のうち制動力が大きい側の車輪が前記車両の横運動の向きと同方向側の車輪である場合に相対的に小さく、前記左右の車輪のうち制動力が大きい側の車輪が前記車両の横運動の向きと反対方向側の車輪である場合に相対的に大きい、
請求項１乃至請求項７のいずれか１項に記載の制動力制御装置。
【請求項９】
前記変化速度上限値は、前記左右制動力偏差の変化速度による前記車両の運動が当該車両の横運動を打ち消す向きである場合に相対的に大きく、前記左右制動力偏差の変化速度による前記車両の運動が当該車両の横運動を大きくする向きである場合に相対的に小さい、
請求項１乃至請求項８のいずれか１項に記載の制動力制御装置。
【請求項１０】
前記制動力配分制御による制御対象の前記車両の車輪は、当該車両の後輪の前記左右の車輪であり、
前記変化速度上限値は、前記車両の前輪の前記左右の車輪の車輪速度の偏差、又は、当該車輪速度の偏差の変化速度が大きいほど大きい、
請求項１乃至請求項９のいずれか１項に記載の制動力制御装置。
【発明の詳細な説明】
【技術分野】
【０００１】
本発明は、制動力制御装置に関する。
【背景技術】
【０００２】
従来の制動力制御装置として、特許文献１には、車体速度が所定値以上で車体減速度が所定値以上のとき、最大前輪車輪速度と各後輪の車輪速度との差に基づいて、前輪と後輪とのブレーキ力配分を理想曲線に近似し得るように、左右後輪の制動力を独立して制御する車両用ブレーキ装置が開示されている。
【先行技術文献】
【特許文献】
【０００３】
【特許文献１】特開平１０−１３８８９５号公報
【発明の概要】
【発明が解決しようとする課題】
【０００４】
ところで、上述のような特許文献１に記載されている車両用ブレーキ装置は、例えば、車両の左右の車輪のタイヤ特性（μ特性）が相違する場合や左右の車輪が接地する路面の摩擦係数（路面μ）が相違する走行路であるいわゆるμスプリット路（またぎ路）を車両が走行している場合等の車両の挙動の安定化の点で更なる改善の余地がある。
【０００５】
本発明は、上記の事情に鑑みてなされたものであって、車両の挙動を安定化させることができる制動力制御装置を提供することを目的とする。
【課題を解決するための手段】
【０００６】
上記目的を達成するために、本発明に係る制動力制御装置は、車両の各車輪に生じる制動力を個別に調節可能である制動装置と、前記制動装置を制御し前記車両の左右の車輪のスリップ状態が同等となるように当該左右の車輪の制動力を個別に制御する制動力配分制御を実行可能である制御装置とを備え、前記制御装置は、前記左右の車輪の制動力の偏差である左右制動力偏差の変化速度の変化速度上限値に基づいて、前記制動力配分制御を実行することを特徴とする。
【０００７】
また、上記制動力制御装置では、前記制御装置は、前記制動力配分制御において、前記左右制動力偏差の変化速度が前記変化速度上限値より大きい場合、前記左右の車輪の前記制動力を増加させる制御より当該左右の車輪の前記制動力を低減させる制御を優先させるものとすることができる。
【０００８】
また、上記制動力制御装置では、前記制御装置は、前記制動力配分制御において、前記左右制動力偏差の変化速度が前記変化速度上限値より大きい場合、前記左右の車輪の前記制動力を低減させる制御より当該左右の車輪の前記制動力を増加させる制御を優先させるものとすることができる。
【０００９】
また、上記制動力制御装置では、前記変化速度上限値は、前記車両の減速度が大きいほど小さいものとすることができる。
【００１０】
また、上記制動力制御装置では、前記変化速度上限値は、前記車両の減速度の変化速度が大きいほど大きいものとすることができる。
【００１１】
また、上記制動力制御装置では、前記変化速度上限値は、前記車両の走行速度が高いほど小さいものとすることができる。
【００１２】
また、上記制動力制御装置では、前記変化速度上限値は、前記車両の横運動の変化速度が大きいほど大きいものとすることができる。
【００１３】
また、上記制動力制御装置では、前記変化速度上限値は、前記左右の車輪のうち制動力が大きい側の車輪が前記車両の横運動の向きと同方向側の車輪である場合に相対的に小さく、前記左右の車輪のうち制動力が大きい側の車輪が前記車両の横運動の向きと反対方向側の車輪である場合に相対的に大きいものとすることができる。
【００１４】
また、上記制動力制御装置では、前記変化速度上限値は、前記左右制動力偏差の変化速度による前記車両の運動が当該車両の横運動を打ち消す向きである場合に相対的に大きく、前記左右制動力偏差の変化速度による前記車両の運動が当該車両の横運動を大きくする向きである場合に相対的に小さいものとすることができる。
【００１５】
また、上記制動力制御装置では、前記制動力配分制御による制御対象の前記車両の車輪は、当該車両の後輪の前記左右の車輪であり、前記変化速度上限値は、前記車両の前輪の前記左右の車輪の車輪速度の偏差、又は、当該車輪速度の偏差の変化速度が大きいほど大きいものとすることができる。
【発明の効果】
【００１６】
本発明に係る制動力制御装置は、車両の挙動を安定化させることができる、という効果を奏する。
【図面の簡単な説明】
【００１７】
【図１】図１は、実施形態１に係る制動力制御装置が適用された車両の概略構成図である。
【図２】図２は、実施形態１に係る制動力制御装置のＥＣＵによる制動力配分制御の一例を説明するフローチャートである。
【図３】図３は、変形例に係る制動力制御装置のＥＣＵによる制動力配分制御の一例を説明するフローチャートである。
【図４】図４は、実施形態２に係る制動力制御装置の変化速度上限値マップの一例を示す線図である。
【図５】図５は、実施形態３に係る制動力制御装置の変化速度上限値マップの一例を示す線図である。
【図６】図６は、実施形態４に係る制動力制御装置の変化速度上限値マップの一例を示す線図である。
【図７】図７は、実施形態５に係る制動力制御装置の変化速度上限値マップの一例を示す線図である。
【図８】図８は、実施形態６に係る制動力制御装置の変化速度上限値について説明するための模式図である。
【図９】図９は、実施形態６に係る制動力制御装置の変化速度上限値について説明するための模式図である。
【図１０】図１０は、実施形態７に係る制動力制御装置の変化速度上限値マップの一例を示す線図である。
【発明を実施するための形態】
【００１８】
以下に、本発明に係る実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１９】
［実施形態１］
図１は、実施形態１に係る制動力制御装置が適用された車両の概略構成図、図２は、実施形態１に係る制動力制御装置のＥＣＵによる制動力配分制御の一例を説明するフローチャート、図３は、変形例に係る制動力制御装置のＥＣＵによる制動力配分制御の一例を説明するフローチャートである。
【００２０】
図１に例示する本実施形態の制動力制御装置１００１は、車両２の左右の車輪３、典型的には、車両２の後側の左右の車輪（以下、「後輪」という場合がある。）３のスリップ状態（スリップ率）が同等となるように当該車輪３の制動力を独立して個別に制御する制動力配分制御を実行可能である制動力配分装置である。そして、制動力制御装置１００１は、この制動力配分制御において、許容する後側の左右の車輪３の制動力差（制動力偏差）の変化速度の上限値である変化速度上限値を設定する。これにより、この制動力制御装置１００１は、車両２の左右の車輪３のタイヤ特性（μ特性）が相違する場合や左右の車輪３が接地する路面の摩擦係数（路面μ）が相違する走行路、いわゆるμスプリット路を車両２が走行している場合等の車両２の挙動の安定化を図っている。
【００２１】
そして、本実施形態の制動力制御装置１００１は、制動力配分制御において、制動力差の変化速度が変化速度上限値より大きくなった場合には、制動力差の変化速度がそれ以上大きくならないように制動力配分制御を制限する。この場合、制動力制御装置１００１は、例えば、左右の車輪３の制動力を保持する、左右の車輪３の制動力を増加させる制御より当該左右の車輪３の制動力を低減させる制御を優先させる、あるいは、左右の車輪３の制動力を低減させる制御より当該左右の車輪３の制動力を増加させる制御を優先させることにより、制動力差の変化速度がそれ以上大きくならないようにする。
【００２２】
本実施形態の制動力制御装置１００１は、図１に示すように車両２に搭載され、この車両２を制動するための制動制御システムである。制動力制御装置１００１は、典型的には、車両２の車輪３に生じる制動力を制御することで各車輪３のスリップ状態を制御し、車両２の挙動を安定化させるシステムである。車両２は、車輪３として、左前輪（左前側の車輪３）３ＦＬ、右前輪（右前側の車輪３）３ＦＲ、左後輪（左後側の車輪３）３ＲＬ、右後輪（右後側の車輪３）３ＲＲを備えるが、これらを特に分ける必要がない場合には単に車輪３という。
【００２３】
具体的には、制動力制御装置１００１は、アクセルペダル４、動力源５、ブレーキペダル６、制動装置７、制御装置としてのＥＣＵ８などを備える。車両２は、運転者によるアクセルペダル４の操作に応じて動力源５が動力（トルク）を発生させ、この動力が動力伝達装置（不図示）を介して車輪３に伝達され、この車輪３に駆動力を発生させる。また、車両２は、運転者によるブレーキペダル６の操作に応じて制動装置７が作動することで車輪３に制動力を発生させる。
【００２４】
動力源５は、内燃機関や電動機などの走行用の動力源である。制動装置７は、車両２の各車輪３に生じる制動力を個別に調節可能である。制動装置７は、マスタシリンダ９から油圧制御装置（油圧アクチュエータ）１０を介してホイールシリンダ１１に接続する油圧経路に、作動流体であるブレーキオイルが充填された種々の油圧ブレーキ装置である。制動装置７は、ホイールシリンダ１１に供給される制動圧力に応じて油圧制動部１２が作動し車輪３に圧力制動力を発生させる。制動装置７は、基本的には運転者がブレーキペダル６を操作することで、ブレーキペダル６に作用するペダル踏力（操作力）に応じてマスタシリンダ９によりブレーキオイルにマスタシリンダ圧（操作圧力）が付与される。そして、制動装置７は、このマスタシリンダ圧に応じた圧力が各ホイールシリンダ１１にてホイールシリンダ圧（制動圧力）として作用することで油圧制動部１２が作動する。各油圧制動部１２は、ブレーキパッドがディスクロータに当接し押し付けられることで、車輪３と共に回転するディスクロータに対して、ホイールシリンダ圧に応じた所定の回転抵抗力が作用し、このディスクロータ及びこれと一体で回転する車輪３に制動力を付与することができる。この間、制動装置７は、油圧制御装置１０によってホイールシリンダ圧が運転状態に応じて適宜調圧される。
【００２５】
ここで、油圧制御装置１０は、ホイールシリンダ圧を四輪独立に個別に増圧、減圧、保持を行うことで、各車輪３に生じる制動力を個別に調節するものである。油圧制御装置１０は、マスタシリンダ９とホイールシリンダ１１とを接続するブレーキオイルの油圧経路上に設けられ、ブレーキペダル６のブレーキ操作とは別にＥＣＵ８による制御によって各ホイールシリンダ１１内の液圧を増減し、各車輪３に付与する制動力を制御する。油圧制御装置１０は、例えば、複数の配管、オイルリザーバ、オイルポンプ、各車輪３にそれぞれ設けられた各ホイールシリンダ１１に接続する各油圧配管、各油圧配管の油圧を各々に増圧、減圧、保持するための複数の電磁弁などを含んで構成され、ＥＣＵ８により制御される。油圧制御装置１０は、ＥＣＵ８の制御指令にしたがって油圧配管内の油圧（マスタシリンダ圧）をそのまま、又は、加圧、減圧して後述する各ホイールシリンダ１１に伝える作動流体圧力調節部として機能する。
【００２６】
油圧制御装置１０は、通常の運転時には、例えば、ＥＣＵ８の制御指令にしたがってオイルポンプや所定の電磁弁が駆動することで、運転者によるブレーキペダル６の操作量（踏み込み量）に応じてホイールシリンダ１１に作用するホイールシリンダ圧を調圧することができる。また、油圧制御装置１０は、後述するように制動力配分制御等を実行する場合には、例えば、ＥＣＵ８の制御指令にしたがってオイルポンプや所定の電磁弁が駆動することで、ホイールシリンダ１１に作用するホイールシリンダ圧を増圧する増圧モード、ほぼ一定に保持する保持モード、減圧する減圧モードなどで作動可能である。油圧制御装置１０は、ＥＣＵ８による制御によって、車両２の走行状態に応じて各車輪３のホイールシリンダ１１ごとに個別に上記モードを設定することができる。すなわち、油圧制御装置１０は、運転者によるブレーキペダル６の操作とは無関係に車両２の走行状態に応じて各車輪３に作用する制動力を個別に調節することができる。
【００２７】
ＥＣＵ８は、車両２の各部の駆動を制御するものであり、ＣＰＵ、ＲＯＭ、ＲＡＭ及びインターフェースを含む周知のマイクロコンピュータを主体とする電子回路を含んで構成される。ＥＣＵ８は、例えば、各車輪３の回転速度を検出する各車輪速度センサ１３、車両２の車体に生じる前後方向（走行方向）の加速度を検出する前後加速度センサ１４、車両２のヨーレートを検出するヨーレートセンサ１５、車両２の車体に生じる横方向（走行方向と交差（直交）する方向）の加速度を検出する横加速度センサ１６、車両２の舵角を検出する舵角センサ１７、マスタシリンダ圧を検出するマスタシリンダ圧センサ１８、各車輪３のホイールシリンダ圧を検出する各ホイールシリンダ圧センサ１９等の車両２の各所に取り付けられた種々のセンサ、検出装置が電気的に接続され、検出結果に対応した電気信号が入力される。ホイールシリンダ圧センサ１９が検出するホイールシリンダ圧は、各車輪３の油圧制動部１２が発生させる制動力の大きさに応じた値となる。ＥＣＵ８は、各種センサから入力された各種入力信号や各種マップに基づいて、格納されている制御プログラムを実行することにより、動力源５や制動装置７の油圧制御装置１０などの車両２の各部に駆動信号を出力しこれらの駆動を制御する。  
【００２８】
そして、本実施形態のＥＣＵ８は、車両２の走行状態に応じて油圧制御装置１０を制御し、各車輪３にそれぞれ設けられたホイールシリンダ１１のホイールシリンダ圧を個別に増減し、各車輪３における制動力を個別に制御することで車両２の制動力配分機能等を実現することができる。ＥＣＵ８は、車両２の挙動を安定化させる制御として、制動装置７を制御して車輪３のスリップ状態を個別に制御する制動力配分制御等を実行可能である。これにより、制動力制御装置１００１は、車両２の挙動の制御を行うことができる。
【００２９】
本実施形態のＥＣＵ８は、上述したように、制動装置７を制御し車両２の左右の車輪３のスリップ状態が同等となるように当該左右の車輪３の制動力を個別に制御する制動力配分制御を実行する。ＥＣＵ８は、制動力配分制御では、各車輪３のホイールシリンダ圧（以下、単に「ブレーキ油圧」という場合がある。）を調節し各車輪３に生じる制動力を制御することで、車輪３のスリップ状態、例えば、車輪３のスリップ率を制御する。ここで、スリップ率とは、車輪３のタイヤと路面とのスリップ（滑り）をあらわす指標である。ＥＣＵ８は、典型的には、制動装置７の油圧制御装置１０を制御して、左右の後輪である左後輪３ＲＬ、右後輪３ＲＲのスリップ率が等しくなるように、当該左後輪３ＲＬ、右後輪３ＲＲのブレーキ油圧を左右独立して個別に制御する。
【００３０】
ＥＣＵ８は、制動力配分制御では、基本的には、左後輪３ＲＬ、右後輪３ＲＲのスリップ率がそれぞれ制動力配分制御における目標のスリップ率になるように左後輪３ＲＬ、右後輪３ＲＲのブレーキ油圧を個別に制御する。これにより、ＥＣＵ８は、各車輪３の制動力配分を制御し、左後輪３ＲＬ、右後輪３ＲＲに生じる制動力を制御する。ＥＣＵ８は、左後輪３ＲＬ、右後輪３ＲＲそれぞれにおいて、実際のスリップ率が上記目標のスリップ率より大きくなった場合にブレーキ油圧を減圧し制動力を低減する一方、実際のスリップ率が目標のスリップ率より小さくなった場合にブレーキ油圧を増圧し制動力を増加する。ＥＣＵ８は、これを周期的に繰り返すことで左後輪３ＲＬ、右後輪３ＲＲのスリップ率が同等になるように制御し、これにより、車両２の安定性を向上することができる。
【００３１】
なお、目標のスリップ率は、例えば、運転者によるブレーキペダル６に応じて制動装置７が各車輪３に制動力を発生させた際の左前輪３ＦＬ、右前輪３ＦＲの実際のスリップ率と同等のスリップ率に応じて設定される。この目標のスリップ率は、所定の範囲を有していてもよい。また、ＥＣＵ８は、例えば、車輪３の車輪速度と車両２の走行速度である車速とに基づいて各車輪３のスリップ率を求めるなど、種々の公知の手法を用いて車輪３のスリップ率を求めればよい。一例として、ＥＣＵ８は、各車輪速度センサ１３が検出した各車輪３の車輪速度Ｖｗと、各車輪３の車輪速度Ｖｗから推定される車両２の車速Ｖｒとに基づき、下記の数式（１）を用いてスリップ率κを求める。スリップ率κは、各車輪速度センサ１３による各検出値に基づいて各車輪３に対応してそれぞれ演算されている。なお、上記車速は、各車輪速度センサ１３とは別個に設けられた車速センサによって検出されてもよい。
κ＝（Ｖｒ−Ｖｗ）／Ｖｒ  ・・・  （１）
【００３２】
なおこの場合、上記のように、制動力配分制御によって左後輪３ＲＬ、右後輪３ＲＲの各スリップ率を左前輪３ＦＬ、右前輪３ＦＲのスリップ率と同等にすることは、左後輪３ＲＬ、右後輪３ＲＲの各車輪速度を左前輪３ＦＬ、右前輪３ＦＲの車輪速度と同等にすることに相当することとなる。
【００３３】
そして、本実施形態のＥＣＵ８は、制動力配分制御を実行する場合に、左右制動力差（左右制動力偏差）の変化速度（以下、「左右制動力差変化速度」という場合がある。）の上限値である変化速度上限値に基づいて、制動力配分制御を実行する。ここでは、左右制動力差とは、左後輪３ＲＬ、右後輪３ＲＲの制動力の差（偏差）に相当する。また、左右制動力差の変化速度とは、単位時間当たりの左右制動力差の変化量に相当する。そして、左後輪３ＲＬ、右後輪３ＲＲの左右制動力差の変化速度に対して設定される変化速度上限値は、許容できる制動力差変化速度に応じて予め設定される。当該変化速度上限値は、実車評価等に基づいて、車輪３のスリップ状態、車両２の挙動安定性等に応じて予め設定され、ＥＣＵ８の記憶部に記憶されている。これにより、制動力制御装置１００１は、例えば、車両２の左右の車輪３のタイヤ特性が相違する場合や車両２がμスプリット路を走行している場合であっても、車両２の挙動を安定化させることができる。
【００３４】
例えば、車両２は、左側の車輪３と右側の車輪３とでタイヤ特性の異なるタイヤが装着されている場合や左右の車輪３が接地する路面の摩擦係数が異なるμスプリット路制動の場合に、挙動に乱れが生じるおそれがある。すなわち、車両２は、左右の車輪３のタイヤ特性や左右の車輪３が接地する路面の摩擦係数が異なる場合には、左後輪３ＲＬ、右後輪３ＲＲのスリップ率が等しくなるように上記制動力配分制御が実行されても適正な制動力配分が得られないおそれがある。これにより、車両２は、意図しない制動力差により車体の偏向が引き起こされるおそれがある。例えば、左後輪３ＲＬにグリップの高いタイヤ（μ特性が高いタイヤ）を装着し右後輪３ＲＲにグリップの低いタイヤ（μ特性が低いタイヤ）を装着した場合を仮定する。このような場合に上記制動力配分制御によって左後輪３ＲＬ、右後輪３ＲＲのスリップ率が等しくなるように右後輪３ＲＲ、左後輪３ＲＬの制動力を調節すると、実際の制動力配分は、［右後輪３ＲＲの制動力］＜［左後輪３ＲＬの制動力］となってしまうおそれがある。この結果、車両２は、上記制動力配分制御が実行されることで、さらに左に偏向、旋回しようとする制動力配分になってしまうおそれがある。
【００３５】
これに対して、ＥＣＵ８は、上述したように、左後輪３ＲＬ、右後輪３ＲＲの左右制動力差変化速度の変化速度上限値に基づいて、制動力配分制御を実行する。ＥＣＵ８は、制動力配分制御において、左後輪３ＲＬ、右後輪３ＲＲの左右制動力差変化速度が変化速度上限値より大きい場合、左右制動力差変化速度がこれ以上大きくならないように当該制動力配分制御を制限する。
【００３６】
本実施形態のＥＣＵ８は、制動力配分制御において、左後輪３ＲＬ、右後輪３ＲＲの左右制動力差変化速度が変化速度上限値より大きい場合、左後輪３ＲＬ、右後輪３ＲＲの制動力を増加させる制御より当該左後輪３ＲＬ、右後輪３ＲＲの制動力を低減させる制御を優先させる。すなわち、ＥＣＵ８は、制動力配分制御の実行中において、変化速度上限値より大きな変化速度で左右制動力差の付与が要求された場合には、左後輪３ＲＬ、右後輪３ＲＲのブレーキ油圧の増圧を制限し制動力を増加させない（制動力の増加を中止する）一方、左後輪３ＲＬ、右後輪３ＲＲのブレーキ油圧の減圧を優先して許容し制動力の低減を優先的に行う。この場合、ＥＣＵ８は、左後輪３ＲＬ、右後輪３ＲＲのうちのいずれかに対する制動力増加要求時にこの制動力増加要求自体を禁止し、制動力増加要求を出力しない、あるいは、制動力要求値を増加させない。また、ＥＣＵ８は、左後輪３ＲＬ、右後輪３ＲＲのうちのいずれかに対する制動力低減要求時にこの制動力低減要求を許容し、通常どおり制動力要求値を減少させる。これにより、ＥＣＵ８は、制動力配分制御を制限し、左右制動力差変化速度がこれ以上大きくならないようにすることができ、制動力差が許容範囲内に収まるようにすることができる。
【００３７】
なお、ＥＣＵ８は、上記のように左後輪３ＲＬ、右後輪３ＲＲのブレーキ油圧を減圧して制動力の低減を行う場合、当該制動力の低減量を、左右制動力差変化速度が変化速度上限値より大きくならない範囲とする。
【００３８】
上記のように構成される制動力制御装置１００１は、左後輪３ＲＬ、右後輪３ＲＲの左右制動力差変化速度の変化速度上限値に基づいて制動力配分制御を実行し、例えば、左後輪３ＲＬ、右後輪３ＲＲの左右制動力差変化速度が変化速度上限値に達している状態では左右制動力差変化速度がそれ以上大きくならないように制動力配分制御を制限する。したがって、制動力制御装置１００１は、制動力配分制御において、左後輪３ＲＬ、右後輪３ＲＲのスリップ率を等しくするべく、右後輪３ＲＲ、左後輪３ＲＬの制動力を個別に調節する際に、許容されうる変化速度上限値に基づいて、左右制動力差変化速度が変化速度上限値以上になることを抑制することができる。これにより、制動力制御装置１００１は、左右の制動力配分を適正化でき、意図しない左右の制動力差により車両２の偏向、旋回が発生することを抑制することができ、制動力差に起因した車両挙動を最小限に抑制することができ、例えば、運転者が違和感なく修正操舵できるようになる。この結果、制動力制御装置１００１は、例えば、車両２の左右の車輪３のタイヤ特性が相違する場合や車両２がμスプリット路を走行している場合であっても、車両２の挙動に乱れが生じることを最小限に抑制することができる。
【００３９】
このとき、制動力制御装置１００１は、左右制動力差変化速度が変化速度上限値に達している状態では左後輪３ＲＬ、右後輪３ＲＲの制動力の増加させない一方、左後輪３ＲＬ、右後輪３ＲＲの制動力の低減を優先的に行う。例えば、制動力制御装置１００１は、左右制動力差変化速度が変化速度上限値に達している状態で左後輪３ＲＬ、右後輪３ＲＲのうちの、偏向時あるいは旋回時における内輪側の制動力の低減（左右制動力差が拡大する側への調圧）が必要になった場合、右後輪３ＲＲ、左後輪３ＲＬのブレーキ油圧を同時に減圧し制動力を同時に低減する。この結果、制動力制御装置１００１は、左右制動力差変化速度を許容範囲に収めつつ左後輪３ＲＬ、右後輪３ＲＲを適正なスリップ率とすることができ、左後輪３ＲＬ、右後輪３ＲＲのロック等を防止し車両２の方向安定性等を確実に確保することができる。なお、車両２は、例えば、左右制動力差、左右の車輪３のタイヤ特性、左右の車輪３が接地する路面の摩擦係数等に応じてその偏向、旋回方向が定まり、これに応じて内輪、外輪が定まることとなる。
【００４０】
次に、図２のフローチャートを参照してＥＣＵ８による制動力配分制御の一例を説明する。なお、これらの制御ルーチンは、数ｍｓないし数十ｍｓ毎の制御周期で繰り返し実行される。また、本実施形態の制動力配分制御は、左後輪３ＲＬ、右後輪３ＲＲに対してそれぞれ個別に実行される。以下の説明では、左後輪３ＲＬ、右後輪３ＲＲのうち制動力配分制御の対象となっている車輪３を制御対象後輪という。
【００４１】
ＥＣＵ８は、ホイールシリンダ圧センサ１９による検出結果等に基づいて現在制動中であるか否かを判定する（ＳＴ１０１）。ＥＣＵ８は、現在制動中でないと判定した場合（ＳＴ１０１：Ｎｏ）、現在の制御周期を終了し、次の制御周期に移行する。
【００４２】
ＥＣＵ８は、現在制動中であると判定した場合（ＳＴ１０１：Ｙｅｓ）、ホイールシリンダ圧センサ１９による検出結果等に基づいて制御対象後輪のブレーキ油圧を保持中であるか否かを判定する（ＳＴ１０２）。
【００４３】
ＥＣＵ８は、制御対象後輪のブレーキ油圧を保持中でないと判定した場合（ＳＴ１０２：Ｎｏ）、車輪速度センサ１３の検出結果等に基づいて、制御対象後輪のスリップ率κが閾値Ａより大きいか否かを判定する（ＳＴ１０３）。閾値Ａは、例えば、上記で説明した目標のスリップ率に応じて設定される。
【００４４】
ＥＣＵ８は、制御対象後輪のスリップ率κが閾値Ａ以下であると判定した場合（ＳＴ１０３：Ｎｏ）、現在の制御周期を終了し、次の制御周期に移行する。ＥＣＵ８は、制御対象後輪のスリップ率κが閾値Ａより大きいと判定した場合（ＳＴ１０３：Ｙｅｓ）、油圧制御装置１０を制御して制御対象後輪のブレーキ油圧を保持し当該制御対象後輪の制動力を保持して（ＳＴ１０４）、現在の制御周期を終了し、次の制御周期に移行する。
【００４５】
ＥＣＵ８は、ＳＴ１０２にて、制御対象後輪のブレーキ油圧を保持中であると判定した場合（ＳＴ１０２：Ｙｅｓ）、車輪速度センサ１３の検出結果に基づいて、制御対象後輪のスリップ率κが閾値Ｂより大きいか否かを判定する（ＳＴ１０５）。閾値Ｂは、上記の閾値Ａと同様に、例えば、上記で説明した目標のスリップ率に応じて設定される。
【００４６】
ＥＣＵ８は、制御対象後輪のスリップ率κが閾値Ｂ以下であると判定した場合（ＳＴ１０５：Ｎｏ）、車輪速度センサ１３の検出結果に基づいて、制御対象後輪のスリップ率κが閾値Ｃより小さいか否かを判定する（ＳＴ１０６）。閾値Ｃは、上記の閾値Ａ、Ｂと同様に、例えば、上記で説明した目標のスリップ率に応じて設定される。ここでは、閾値Ｃは、制御のハンチングを抑制するため、閾値Ｂに対して所定のヒステリシスを踏まえて設定される。
【００４７】
ＥＣＵ８は、制御対象後輪のスリップ率κが閾値Ｃ以上であると判定した場合（ＳＴ１０６：Ｎｏ）、ＳＴ１０４に移行し油圧制御装置１０を制御して制御対象後輪のブレーキ油圧を保持する。
【００４８】
ＥＣＵ８は、制御対象後輪のスリップ率κが閾値Ｃより小さいと判定した場合（ＳＴ１０６：Ｙｅｓ）、ホイールシリンダ圧センサ１９の検出結果等に基づいて、現在の左後輪３ＲＬ、右後輪３ＲＲの左右制動力差変化速度が閾値Ｄ１より大きいか否かを判定する（ＳＴ１０７）。閾値Ｄ１は、上述の上限値に応じて設定される。
【００４９】
ＥＣＵ８は、現在の左後輪３ＲＬ、右後輪３ＲＲの左右制動力差変化速度が閾値Ｄ１以下であると判定した場合（ＳＴ１０７：Ｎｏ）、油圧制御装置１０を制御して制御対象後輪のブレーキ油圧を増圧し当該制御対象後輪の制動力を増加させて（ＳＴ１０８）、現在の制御周期を終了し、次の制御周期に移行する。
【００５０】
ＥＣＵ８は、現在の左後輪３ＲＬ、右後輪３ＲＲの左右制動力差変化速度が閾値Ｄ１より大きいと判定した場合（ＳＴ１０７：Ｙｅｓ）、制御対象後輪が外輪であるか否かを判定する（ＳＴ１０９）。この場合、ＥＣＵ８は、以下の制御では左後輪３ＲＬ、右後輪３ＲＲのブレーキ油圧の減圧を優先し、ブレーキ油圧の増圧を制限することで、左右制動力差変化速度を変化速度上限値内に収めつつ左後輪３ＲＬ、右後輪３ＲＲのブレーキ油圧を調圧し制動力を調節する。
【００５１】
具体的には、ＥＣＵ８は、制御対象後輪が外輪でなかった場合（ＳＴ１０９：Ｎｏ）、油圧制御装置１０を制御して制御対象後輪のブレーキ油圧を増圧する（ＳＴ１１０）。このとき、ＥＣＵ８は、左後輪３ＲＬ、右後輪３ＲＲのうち本制御対象後輪ではない方に対してブレーキ油圧減圧要求がある場合には、当該本制御対象後輪ではない方のブレーキ油圧の減圧、制動力の低減を優先し、当該制御対象後輪のブレーキ油圧の増圧、制動力の増加を制限する。これにより、ＥＣＵ８は、左右制動力差変化速度が変化速度上限値以上になることを抑制する。
【００５２】
ＥＣＵ８は、制御対象後輪が外輪であった場合（ＳＴ１０９：Ｙｅｓ）、左後輪３ＲＬ、右後輪３ＲＲのうち本制御対象後輪ではない方の状態にかかわらず、ブレーキ油圧の増圧、制動力の増加を禁止し、油圧制御装置１０を制御して制御対象後輪のブレーキ油圧を保持し当該制御対象後輪の制動力を保持して（ＳＴ１１１）、現在の制御周期を終了し、次の制御周期に移行する。これにより、ＥＣＵ８は、左右制動力差変化速度を左右制動力差変化速度が変化速度上限値以上になることを抑制しつつ車両２の挙動に乱れが生じることを最小限に抑制することができる。
【００５３】
ＥＣＵ８は、ＳＴ１０５にて、制御対象後輪のスリップ率κが閾値Ｂより大きいと判定した場合（ＳＴ１０５：Ｙｅｓ）、ホイールシリンダ圧センサ１９の検出結果等に基づいて、現在の左後輪３ＲＬ、右後輪３ＲＲの左右制動力差変化速度が閾値Ｄ１より大きいか否かを判定する（ＳＴ１１２）。
【００５４】
ＥＣＵ８は、現在の左後輪３ＲＬ、右後輪３ＲＲの左右制動力差変化速度が閾値Ｄ１以下であると判定した場合（ＳＴ１１２：Ｎｏ）、油圧制御装置１０を制御して制御対象後輪のブレーキ油圧を減圧し当該制御対象後輪の制動力を減少させて（ＳＴ１１３）、現在の制御周期を終了し、次の制御周期に移行する。
【００５５】
ＥＣＵ８は、現在の左後輪３ＲＬ、右後輪３ＲＲの左右制動力差変化速度が閾値Ｄ１より大きいと判定した場合（ＳＴ１１２：Ｙｅｓ）、制御対象後輪が内輪であるか否かを判定する（ＳＴ１１４）。この場合、ＥＣＵ８は、以下の制御では左後輪３ＲＬ、右後輪３ＲＲのブレーキ油圧の減圧を優先し、ブレーキ油圧の増圧を制限することで、左右制動力差変化速度を変化速度上限値内に収めつつ左後輪３ＲＬ、右後輪３ＲＲのブレーキ油圧を調圧し制動力を調節する。
【００５６】
具体的には、ＥＣＵ８は、制御対象後輪が内輪でなかった場合（ＳＴ１１４：Ｎｏ）、油圧制御装置１０を制御して制御対象後輪のブレーキ油圧を減圧する（ＳＴ１１５）。このとき、ＥＣＵ８は、左後輪３ＲＬ、右後輪３ＲＲのうち本制御対象後輪ではない方に対してブレーキ油圧増圧要求がある場合には、当該本制御対象後輪ではない方のブレーキ油圧の増圧、制動力の増加を制限し、当該制御対象後輪のブレーキ油圧の減圧、制動力の低減を優先する。これにより、ＥＣＵ８は、左右制動力差変化速度が変化速度上限値以上になることを抑制する。
【００５７】
ＥＣＵ８は、制御対象後輪が内輪であった場合（ＳＴ１１４：Ｙｅｓ）、左後輪３ＲＬ、右後輪３ＲＲのうち本制御対象後輪ではない方の状態にかかわらず、油圧制御装置１０を制御して両後輪（左後輪３ＲＬ、右後輪３ＲＲ）のブレーキ油圧を減圧し当該両後輪の制動力を同時に減少させて（ＳＴ１１６）、現在の制御周期を終了し、次の制御周期に移行する。これにより、ＥＣＵ８は、左右制動力差変化速度を左右制動力差変化速度が変化速度上限値以上になることを抑制しつつ車両２の挙動に乱れが生じることを最小限に抑制することができる。
【００５８】
以上で説明した実施形態に係る制動力制御装置１００１によれば、制動装置７と、ＥＣＵ８とを備える。制動装置７は、車両２の各車輪３に生じる制動力を個別に調節可能である。ＥＣＵ８は、制動装置７を制御し車両２の左右の車輪３のスリップ状態が同等となるように当該左右の車輪３の制動力を個別に制御する制動力配分制御を実行可能である。そして、ＥＣＵ８は、左右の車輪３の制動力の偏差である左右制動力偏差の変化速度の変化速度上限値に基づいて、制動力配分制御を実行する。したがって、制動力制御装置１００１は、車両２の左右の車輪３のタイヤ特性が相違する場合や車両２がμスプリット路を走行している場合であっても、制動力配分制御によって車両２の挙動を安定化させることができる。
【００５９】
なお、以上で説明したＥＣＵ８は、制動力配分制御を実行する場合に、上記で説明した変化速度上限値に基づいた制動力配分制御と合わせて、さらに、左右制動力差（左右制動力偏差）の上限値である制動力差上限値に基づいた制動力配分制御を実行するようにしてもよい。この場合、ＥＣＵ８は、変化速度上限値に基づいた制動力配分制御と、制動力差上限値に基づいた制動力配分制御とを並列的に実行することで、それぞれの制御を相互に補完するようにしてもよい。
【００６０】
また、以上の説明では、ＥＣＵ８は、制動力配分制御において、左後輪３ＲＬ、右後輪３ＲＲの左右制動力差変化速度が変化速度上限値より大きい場合、左後輪３ＲＬ、右後輪３ＲＲの制動力を増加させる制御より当該左後輪３ＲＬ、右後輪３ＲＲの制動力を低減させる制御を優先させるものとして説明したがこれに限らない。このような場合、ＥＣＵ８は、左右制動力差変化速度がそれ以上大きくならないように制動力配分制御を制限すればよく、例えば、左右の車輪３の制動力を保持したり、左右の車輪３の制動力を増加させる制御を優先させたりすることで制動力配分制御を制限するようにしてもよい。
【００６１】
例えば、ＥＣＵ８は、図３に示すように、制動力配分制御において、左後輪３ＲＬ、右後輪３ＲＲの左右制動力差変化速度が変化速度上限値より大きい場合、左後輪３ＲＬ、右後輪３ＲＲの制動力を減少させる制御より当該左後輪３ＲＬ、右後輪３ＲＲの制動力を増加させる制御を優先させるようにしてもよい。すなわち、ＥＣＵ８は、制動力配分制御の実行中において、変化速度上限値より大きな変化速度で左右制動力差の付与が要求された場合には、左後輪３ＲＬ、右後輪３ＲＲのブレーキ油圧の減圧を制限し制動力を低減させない（制動力の低減を中止する）一方、左後輪３ＲＬ、右後輪３ＲＲのブレーキ油圧の増圧を優先して許容し制動力の増加を優先的に行う。この場合、ＥＣＵ８は、左後輪３ＲＬ、右後輪３ＲＲのうちのいずれかに対する制動力低減要求時にこの制動力低減要求自体を禁止し、制動力低減要求を出力しない、あるいは、制動力要求値を減少させない。また、ＥＣＵ８は、左後輪３ＲＬ、右後輪３ＲＲのうちのいずれかに対する制動力増加要求時にこの制動力増加要求を許容し、通常どおり制動力要求値を増加させる。これにより、ＥＣＵ８は、制動力配分制御を制限し、左右制動力差変化速度がこれ以上大きくならないようにすることができ、制動力差が許容範囲内に収まるようにすることができる。
【００６２】
この場合、ＥＣＵ８は、図３に示すように、ＳＴ１０７、ＳＴ１１２にて、現在の左後輪３ＲＬ、右後輪３ＲＲの左右制動力差変化速度が閾値Ｄ１より大きいと判定した場合、以下の制御では左後輪３ＲＬ、右後輪３ＲＲのブレーキ油圧の増圧を優先し、ブレーキ油圧の減圧を制限する。これにより、ＥＣＵ８は、左右制動力差変化速度を変化速度上限値内に収めつつ左後輪３ＲＬ、右後輪３ＲＲのブレーキ油圧を調圧し制動力を調節する。
【００６３】
具体的には、ＥＣＵ８は、ＳＴ１０９にて、制御対象後輪が外輪でなかったと判定した場合（ＳＴ１０９：Ｎｏ）、油圧制御装置１０を制御して制御対象後輪のブレーキ油圧を増圧する（ＳＴ１１０）。このとき、ＥＣＵ８は、左後輪３ＲＬ、右後輪３ＲＲのうち本制御対象後輪ではない方に対してブレーキ油圧減圧要求がある場合には、当該本制御対象後輪ではない方のブレーキ油圧の減圧、制動力の低減を制限し、当該制御対象後輪のブレーキ油圧の増圧、制動力の増加を優先する。これにより、ＥＣＵ８は、左右制動力差変化速度が変化速度上限値以上になることを抑制する。
【００６４】
ＥＣＵ８は、ＳＴ１０９にて、制御対象後輪が外輪であったと判定した場合（ＳＴ１０９：Ｙｅｓ）、左後輪３ＲＬ、右後輪３ＲＲのうち本制御対象後輪ではない方の状態にかかわらず、油圧制御装置１０を制御して両後輪（左後輪３ＲＬ、右後輪３ＲＲ）のブレーキ油圧を増圧し当該両後輪の制動力を同時に増加させて（ＳＴ１１１Ａ）、現在の制御周期を終了し、次の制御周期に移行する。これにより、ＥＣＵ８は、左右制動力差変化速度を左右制動力差変化速度が変化速度上限値以上になることを抑制しつつ車両２の挙動に乱れが生じることを最小限に抑制することができる。
【００６５】
また、ＥＣＵ８は、ＳＴ１１４にて、制御対象後輪が内輪でなかったと判定した場合（ＳＴ１１４：Ｎｏ）、油圧制御装置１０を制御して制御対象後輪のブレーキ油圧を減圧する（ＳＴ１１５）。このとき、ＥＣＵ８は、左後輪３ＲＬ、右後輪３ＲＲのうち本制御対象後輪ではない方に対してブレーキ油圧増圧要求がある場合には、当該本制御対象後輪ではない方のブレーキ油圧の増圧、制動力の増加を優先し、当該制御対象後輪のブレーキ油圧の減圧、制動力の低減を制限する。これにより、ＥＣＵ８は、左右制動力差変化速度が変化速度上限値以上になることを抑制する。
【００６６】
ＥＣＵ８は、ＳＴ１１４にて、制御対象後輪が内輪であったと判定した場合（ＳＴ１１４：Ｙｅｓ）、左後輪３ＲＬ、右後輪３ＲＲのうち本制御対象後輪ではない方の状態にかかわらず、ブレーキ油圧の減圧、制動力の低減を禁止し、油圧制御装置１０を制御して制御対象後輪のブレーキ油圧を保持し当該制御対象後輪の制動力を保持して（ＳＴ１１６Ａ）、現在の制御周期を終了し、次の制御周期に移行する。これにより、ＥＣＵ８は、左右制動力差変化速度を左右制動力差変化速度が変化速度上限値以上になることを抑制しつつ車両２の挙動に乱れが生じることを最小限に抑制することができる。
【００６７】
この結果、制動力制御装置１００１は、左右制動力差変化速度を許容範囲に収めつつ左後輪３ＲＬ、右後輪３ＲＲを適正なスリップ率とすることができ、例えば、後ろ荷重が大きい場合等に減速度を増やすことができると共に、車両２の方向安定性等を確実に確保することができる。
【００６８】
［実施形態２］
図４は、実施形態２に係る制動力制御装置の変化速度上限値マップの一例を示す線図である。実施形態２に係る制動力制御装置は、変化速度上限値が車両の減速度に応じて変更される点で実施形態１とは異なる。その他、上述した実施形態と共通する構成、作用、効果については、重複した説明はできるだけ省略する。なお、実施形態２に係る制動力制御装置の各構成の詳細については、適宜、図１を参照する（以下の実施形態でも同様である。）。
【００６９】
本実施形態に係る制動力制御装置１２０１（図１参照）のＥＣＵ８は、車両２の減速度に応じて変化速度上限値を変更する。本実施形態において、左後輪３ＲＬ、右後輪３ＲＲの左右制動力差変化速度に対して設定される変化速度上限値は、車両２の減速度が大きいほど小さくなるように設定される。なお、車両２の減速度は、相対的に正（＋）側の大きな値になるほど車両２が減速する度合いが大きくなる。
【００７０】
ここで、図４に例示する変化速度上限値マップｍ１０１は、変化速度上限値（閾値Ｄ１）を設定するためのマップであり、横軸が車両２に発生する減速度（以下、「発生減速度」という場合がある。）、縦軸が変化速度上限値を示す。この変化速度上限値マップｍ１０１は、発生減速度と変化速度上限値との関係を記述したものである。変化速度上限値マップｍ１０１は、発生減速度と変化速度上限値との関係が、実車評価等を踏まえて予め設定された上で、ＥＣＵ８の記憶部に格納されている。この変化速度上限値マップｍ１０１では、変化速度上限値は、発生減速度の増加に伴って減少する。ＥＣＵ８は、変化速度上限値マップｍ１０１に基づいて、前後加速度センサ１４等が検出する発生減速度（例えば絶対値）から左右制動力差変化速度の変化速度上限値を算出する。これにより、ＥＣＵ８は、車両２の減速度が大きいほど左右制動力差の変化速度上限値を小さくすることができる。
【００７１】
なお、本実施形態では、ＥＣＵ８は、図４に例示する変化速度上限値マップｍ１０１を用いて変化速度上限値を算出するものとして説明したが本実施形態はこれに限定されない。ＥＣＵ８は、例えば、図４に例示する変化速度上限値マップに相当する数式モデルに基づいて変化速度上限値を算出するようにしてもよい。以下で説明する種々のマップについても同様である。
【００７２】
ここで、車両２は、発生減速度が大きいほど、挙動感度が相対的に高くなる傾向にある。
【００７３】
これに対して、上記のように構成される制動力制御装置１２０１は、発生減速度が大きいほど変化速度上限値をより小さな値に設定することで、発生減速度に応じて変化する車両２の挙動感度に対応して適切に車両２の安定性を確保することができる。例えば、制動力制御装置１２０１は、方向安定性のために比較的に大きな左右制動力差が必要とされる高減速度領域では、左右制動力差自体には上限が設定されていないことで相対的に大きな左右制動力差を許容することができ、その上で、左右制動力差変化速度を抑制することができる。この結果、制動力制御装置１２０１は、制動力配分制御によってより確実に車両２の挙動を安定化させることができる。
【００７４】
［実施形態３］
図５は、実施形態３に係る制動力制御装置の変化速度上限値マップの一例を示す線図である。実施形態３に係る制動力制御装置は、変化速度上限値が車両の減速度の変化速度に応じて変更される点で実施形態１、２とは異なる。
【００７５】
本実施形態に係る制動力制御装置１３０１（図１参照）のＥＣＵ８は、車両２の減速度の変化速度に応じて変化速度上限値を変更する。車両２の減速度の変化速度とは、単位時間当たりの減速度の変化量に相当する。本実施形態において、左後輪３ＲＬ、右後輪３ＲＲの左右制動力差変化速度に対して設定される変化速度上限値は、車両２の減速度の変化速度が大きいほど大きくなるように設定される。
【００７６】
ここで、図５に例示する変化速度上限値マップｍ１０２は、変化速度上限値（閾値Ｄ１）を設定するためのマップであり、横軸が車両２に発生する発生減速度の変化速度、縦軸が変化速度上限値を示す。この変化速度上限値マップｍ１０２は、発生減速度変化速度と変化速度上限値との関係を記述したものである。変化速度上限値マップｍ１０２は、発生減速度変化速度と変化速度上限値との関係が、実車評価等を踏まえて予め設定された上で、ＥＣＵ８の記憶部に格納されている。この変化速度上限値マップｍ１０２では、変化速度上限値は、発生減速度変化速度の増加に伴って増加する。ＥＣＵ８は、変化速度上限値マップｍ１０２に基づいて、前後加速度センサ１４等が検出する発生減速度（例えば絶対値）の変化速度から左右制動力差変化速度の変化速度上限値を算出する。これにより、ＥＣＵ８は、車両２の減速度変化速度が大きいほど左右制動力差の変化速度上限値を大きくすることができる。
【００７７】
上記のように構成される制動力制御装置１３０１は、発生減速度変化速度が大きいほど、すなわち、急制動時であるほど変化速度上限値をより大きな値に設定する。これにより、制動力制御装置１３０１は、急制動時に相対的に大きな変化速度で左右制動力差を付与することができる。この結果、制動力制御装置１３０１は、急制動時であっても制動力配分制御によって相対的に大きな左右制動力差の付与を間に合わせることができるので、急制動時でも確実に車両２の挙動を安定化させることができる。
【００７８】
［実施形態４］
図６は、実施形態４に係る制動力制御装置の変化速度上限値マップの一例を示す線図である。実施形態４に係る制動力制御装置は、変化速度上限値が車両の走行速度に応じて変更される点で実施形態１〜３とは異なる。
【００７９】
本実施形態に係る制動力制御装置１４０１（図１参照）のＥＣＵ８は、車両２の走行速度である車速に応じて変化速度上限値を変更する。本実施形態において、左後輪３ＲＬ、右後輪３ＲＲの左右制動力差に対して設定される変化速度上限値は、車両２の車速が高いほど小さくなるように設定される。
【００８０】
ここで、図６に例示する変化速度上限値マップｍ１０３は、変化速度上限値（閾値Ｄ１）を設定するためのマップであり、横軸が車両２の車速、縦軸が変化速度上限値を示す。この変化速度上限値マップｍ１０３は、車速と左右制動力差の変化速度上限値との関係を記述したものである。変化速度上限値マップｍ１０３は、車速と変化速度上限値との関係が、実車評価等を踏まえて予め設定された上で、ＥＣＵ８の記憶部に格納されている。この変化速度上限値マップｍ１０３では、左右制動力差の変化速度上限値は、車速の増加に伴って減少する。ＥＣＵ８は、変化速度上限値マップｍ１０３に基づいて、各車輪速度センサ１３が検出する車輪速度から推定される車速から左右制動力差変化速度の変化速度上限値を算出する。これにより、ＥＣＵ８は、車両２の車速が高いほど左右制動力差の変化速度上限値を小さくすることができる。
【００８１】
左右の車輪３のタイヤ特性の相違やμスプリット路走行に起因して発生する意図しない左右制動力差による車両２の挙動は、車速が相対的に高くなるほど左右制動力差に対する挙動感度が高くなる傾向にある。このため、車両２の挙動は、同等の左右制動力差変化速度であっても、車速が相対的に高くなるほど大きくなる傾向にある。
【００８２】
これに対して、上記のように構成される制動力制御装置１４０１は、車速が高いほど左右制動力差変化速度の変化速度上限値をより小さな値に設定する。この結果、制動力制御装置１４０１は、車両２の挙動感度が相対的に高くなるほど制動力配分制御において許容する左右制動力差変化速度を抑制することができ、車両２の挙動感度が相対的に低くなるほど許容する左右制動力差変化速度を大きくすることができる。したがって、制動力制御装置１４０１は、車両２の挙動感度が比較的に高い高速運転領域から挙動感度が比較的に低い低速運転領域まで、意図しない制動力差に起因した車両２の挙動変化をほぼ同等に抑制することができ、これにより、運転フィーリングを同等にすることができる。
【００８３】
［実施形態５］
図７は、実施形態５に係る制動力制御装置の変化速度上限値マップの一例を示す線図である。実施形態５に係る制動力制御装置は、変化速度上限値が車両の横運動の変化速度に応じて変更される点で実施形態１〜４とは異なる。
【００８４】
本実施形態に係る制動力制御装置１５０１（図１参照）のＥＣＵ８は、車両２の横運動の変化速度に応じて変化速度上限値を変更する。本実施形態において、左後輪３ＲＬ、右後輪３ＲＲの左右制動力差変化速度に対して設定される変化速度上限値は、車両２の横運動の変化速度が大きいほど大きくなるように設定される。ここで、車両２の横運動の大きさをあらわす指標は、例えば、ヨーレートセンサ１５が検出する車両２のヨーレート、横加速度センサ１６が検出する車両２の横方向加速度、舵角センサ１７が検出する車両２の舵角等を用いることができる。車両２の横運動の変化速度をあらわす指標は、単位時間当たりのヨーレート、横方向加速度、あるいは、舵角の変化量に相当する。
【００８５】
図７に例示する変化速度上限値マップｍ１０４は、変化速度上限値（閾値Ｄ１）を設定するためのマップであり、横軸が車両２の横運動の変化速度をあらわす指標（ヨーレート変化速度（ｄＹｒ）、横方向加速度変化速度（ｄＧｙ）、あるいは、舵角変化速度（ｄ舵角））、縦軸が左右制動力差変化速度に対して設定される変化速度上限値を示す。この変化速度上限値マップｍ１０４は、横運動の変化速度をあらわす指標と変化速度上限値との関係を記述したものである。変化速度上限値マップｍ１０４は、横運動の変化速度をあらわす指標と変化速度上限値との関係が、実車評価等を踏まえて予め設定された上で、ＥＣＵ８の記憶部に格納されている。この変化速度上限値マップｍ１０４では、変化速度上限値は、横運動の変化速度をあらわす指標の増加に伴って増加する。ＥＣＵ８は、変化速度上限値マップｍ１０４に基づいて、ヨーレートセンサ１５が検出する車両２のヨーレート、横加速度センサ１６が検出する車両２の横方向加速度、あるいは、舵角センサ１７が検出する車両２の舵角から左右制動力差変化速度の変化速度上限値を算出する。これにより、ＥＣＵ８は、車両２の横運動の変化速度が大きいほど左右制動力差変化速度の変化速度上限値を大きくすることができる。
【００８６】
ここで、左後輪３ＲＬ、右後輪３ＲＲのスリップ率が等しくなるように左後輪３ＲＬ、右後輪３ＲＲの制動力を制御する制動力配分制御のメリットの１つとして、車両２の旋回中であっても適切な制動力配分を実現することができる点が挙げられる。これにより、車両２は、例えば、［外輪制動力＞内輪制動力］となり旋回中のスピンが抑制される。このとき、制動力制御装置１５０１は、制動力配分制御における左右制動力差変化速度に変化速度上限値を設けることで、直進時よりも素早い左右制動力差付与が必要となる旋回制動時には、車両安定性が抑制されてしまうおそれがある。
【００８７】
これに対して、上記のように構成される制動力制御装置１５０１は、例えば、車両２が横運動をしている場合に、車両２の横運動の変化速度が大きいほど左右制動力差変化速度の変化速度上限値をより大きな値に設定する。これにより、制動力制御装置１５０１は、車両２の横運動の変化速度が相対的に大きい場合に、直進時よりも左右制動力差変化速度の上限値が大きな値に設定されるので、旋回制動時などに生じる速い挙動変化に対応して、素早く左右制動力差を付与することができる。この結果、制動力制御装置１５０１は、旋回制動時等において車両２の挙動変化に合わせて必要な左右制動力差変化速度を許容しつつ素早く左右制動力差を付与することができる一方、直進制動時等に意図しない左右制動力差に起因して車両２の挙動に乱れが生じることを最小限に抑制することができる。
【００８８】
［実施形態６］
図８、図９は、実施形態６に係る制動力制御装置の変化速度上限値について説明するための模式図である。実施形態６に係る制動力制御装置は、変化速度上限値の設定手法が実施形態１〜５とは異なる。
【００８９】
本実施形態に係る制動力制御装置１６０１（図１参照）のＥＣＵ８は、ホイールシリンダ圧センサ１９の検出結果等に基づいて、左後輪３ＲＬと右後輪３ＲＲとの制動力の大小関係に応じて左右制動力差変化速度の変化速度上限値を設定する。
【００９０】
すなわち、ＥＣＵ８は、図８に例示するように、左後輪３ＲＬ、右後輪３ＲＲのうち制動力が大きい側の車輪（図８の例では左後輪３ＲＬ）が車両２の横運動の向きと同方向側の車輪である場合に左右制動力差変化速度の変化速度上限値を相対的に小さくなるように設定する。車両２は、左後輪３ＲＬ、右後輪３ＲＲのうち制動力が大きい側の車輪が横運動の向きと同方向側の車輪である場合に横運動が助長される傾向にある。したがって、ＥＣＵ８は、左後輪３ＲＬと右後輪３ＲＲとの制動力の大小関係が車両２の横運動を助長する関係にある場合、さらに言えば、左右制動力差変化速度による車両２の運動がこの車両２の横運動を大きくする向きである場合に変化速度上限値を相対的に小さくすることができる。
【００９１】
一方、ＥＣＵ８は、図９に例示するように、左後輪３ＲＬ、右後輪３ＲＲのうち制動力が大きい側の車輪（図９の例では左後輪３ＲＬ）が車両２の横運動の向きと反対方向側の車輪である場合に左右制動力差変化速度の変化速度上限値を相対的に大きくなるように設定する。車両２は、左後輪３ＲＬ、右後輪３ＲＲのうち制動力が大きい側の車輪が横運動の向きと反対方向側の車輪である場合に横運動が打ち消される傾向にある。したがって、ＥＣＵ８は、左後輪３ＲＬと右後輪３ＲＲとの制動力の大小関係が車両２の横運動を打ち消す関係にある場合、さらに言えば、左右制動力差変化速度による車両２の運動がこの車両２の横運動を打ち消す向きである場合に、左右制動力差変化速度の変化速度上限値を相対的に大きくすることができる。
【００９２】
したがって、上記のように構成される制動力制御装置１６０１は、例えば、車両２の制動開始後に操舵された場合に、操舵による車両２の横運動の向きと、左右制動力差に起因する車両２の挙動変化の向きとの関係に応じて、左右制動力差変化速度の変化速度上限値を設定することができる。この結果、制動力制御装置１６０１は、車両２の挙動が安定する側に対しては左右制動力差変化速度を十分に許容することができ、左右制動力差を素早く付与することができる。一方、制動力制御装置１６０１は、車両２の挙動が不安定となる側には左右制動力差変化速度を確実に抑制することができ、左右制動力差の付与を抑制することができる。これにより、制動力制御装置１６０１は、例えば、車両２の制動開始後に操舵された場合等、制動開始後に車両２の挙動に大きな変化があった場合であっても、制動力配分制御によってより確実に車両２の挙動を安定化させることができる。
【００９３】
［実施形態７］
図１０は、実施形態７に係る制動力制御装置の変化速度上限値マップの一例を示す線図である。実施形態７に係る制動力制御装置は、変化速度上限値が車両の前輪の左右の車輪の車輪速度の偏差に応じて変更される点で実施形態１〜６とは異なる。
【００９４】
本実施形態に係る制動力制御装置１７０１（図１参照）の制動力配分制御による制御対象の車両２の車輪３は、上述したように、車両２の後輪の左右の車輪３、すなわち、左後輪３ＲＬ、右後輪３ＲＲである。そして、ＥＣＵ８は、車両２の前輪の左右の車輪３、すなわち、左前輪３ＦＬ、右前輪３ＦＲの車輪速度の偏差、ここでは、車輪速度差（以下、「前輪車輪速度差」という場合がある。）に応じて左右制動力差変化速度の変化速度上限値を変更する。本実施形態において、左後輪３ＲＬ、右後輪３ＲＲの左右制動力差変化速度に対して設定される変化速度上限値は、前輪車輪速度差、又は、前輪車輪速度差の変化速度（以下、「前輪車輪速度差変化速度」という場合がある。）が大きいほど大きくなるように設定される。
【００９５】
図１０に例示する変化速度上限値マップｍ１０５は、変化速度上限値（閾値Ｄ１）を設定するためのマップであり、横軸が前輪車輪速度差、あるいは、前輪車輪速度差変化速度、縦軸が左右制動力差変化速度に対して設定される変化速度上限値を示す。この変化速度上限値マップｍ１０５は、前輪車輪速度差、あるいは、前輪車輪速度差変化速度と変化速度上限値との関係を記述したものである。変化速度上限値マップｍ１０５は、前輪車輪速度差、あるいは、前輪車輪速度差変化速度と変化速度上限値との関係が、実車評価等を踏まえて予め設定された上で、ＥＣＵ８の記憶部に格納されている。この変化速度上限値マップｍ１０５では、変化速度上限値は、前輪車輪速度差、あるいは、前輪車輪速度差変化速度の増加に伴って増加する。ＥＣＵ８は、変化速度上限値マップｍ１０５に基づいて、左前輪３ＦＬ、右前輪３ＦＲの各車輪速度センサ１３が検出する車輪速度から左右制動力差変化速度の変化速度上限値を算出する。これにより、ＥＣＵ８は、前輪車輪速度差、又は、前輪車輪速度差変化速度が大きいほど左右制動力差変化速度の変化速度上限値を大きくすることができる。
【００９６】
ここで、車両２は、左右の車輪３の接地荷重差が相対的に大きい場合や車体の急偏向時などの車両２の挙動変化が大きく現れる場合等には、前輪車輪速度差、あるいは、前輪車輪速度差変化速度が相対的に大きくなる傾向にある。
【００９７】
これに対して、上記のように構成される制動力制御装置１７０１は、例えば、前輪車輪速度差、又は、前輪車輪速度差変化速度が大きいほど左右制動力差変化速度の変化速度上限値をより大きな値に設定する。これにより、制動力制御装置１７０１は、左右の車輪３の接地荷重差が相対的に大きい場合や車両２の挙動変化が大きく現れる場合等に、相対的に大きな左右制動力差変化速度を許容することができ、必要に応じて素早く左右制動力差を付与することができる。この結果、制動力制御装置１７０１は、左右の車輪３の接地荷重差が相対的に大きい場合や車両２の挙動変化が大きく現れる場合等に必要な左右制動力差変化速度を許容しつつ素早く左右制動力差を付与することができる一方、必要でない場合には意図しない左右制動力差に起因して車両２の挙動に乱れが生じることを最小限に抑制することができる。
【００９８】
なお、上述した本発明の実施形態に係る制動力制御装置は、上述した実施形態に限定されず、特許請求の範囲に記載された範囲で種々の変更が可能である。本実施形態に係る制動力制御装置は、以上で説明した各実施形態の構成要素を適宜組み合わせることで構成してもよい。
【００９９】
以上の説明では、制動力制御装置の制御装置は、車両の各部を制御するＥＣＵであるものとして説明したが、これに限らず、例えば、ＥＣＵとは別個に構成され、このＥＣＵと相互に検出信号や駆動信号、制御指令等の情報の授受を行う構成であってもよい。
【０１００】
以上の説明では、制御装置は、左右制動力偏差として左右の車輪の制動力の差分を用いるものとして説明したがこれに限らず、例えば左右の車輪の制動力の比率（例えば、一方の車輪の制動力／他方の車輪の制動力）等を用いてもよい。
【符号の説明】
【０１０１】
１００１、１２０１、１３０１、１４０１、１５０１、１６０１、１７０１    制動力制御装置
２    車両
３    車輪
３ＲＲ    右後輪
３ＦＲ    右前輪
３ＲＬ    左後輪
３ＦＬ    左前輪
７    制動装置
８    ＥＣＵ（制御装置）
【図１】
0005472350.tif 000002
【図２】
0005472350.tif 000003
【図３】
0005472350.tif 000004
【図４】
0005472350.tif 000005
【図５】
0005472350.tif 000006
【図６】
0005472350.tif 000007
【図７】
0005472350.tif 000008
【図８】
0005472350.tif 000009
【図９】
0005472350.tif 000010
【図１０】
0005472350.tif 000011